(57)【要約】【課題】水槽本体内の水中に配置される水中装置として例えば電気ヒータの発熱部の位置ずれを防止することができ且つ美観が良好な観賞魚用水槽を提供すること。【解決手段】水槽１の水槽本体２内に濾過器収容空間６が設けられている。この濾過器収容空間６内に濾過器２０が少なくともその下部が水槽本体２内の水40中に浸漬される状態に取り出し可能に収容配置されている。濾過器収容空間６を形成する空間形成壁6Aと濾過器20との間に、両者6A,20間の隙間からなり且つ電気ヒータ61の電源コード部61bが通される第１通路51が形成されている。さらに、第１通路51の一端開口51aが水槽本体２内の水面41よりも下側の位置に水槽本体２の内側に臨んで配置される一方、第１通路51の他端開口51bが水槽本体２内の水面41よりも上側の位置に配置されている。【選択図】図５
2012187079.tif 000002
【特許請求の範囲】
【請求項１】
水槽本体内に濾過器収容空間が設けられるとともに、前記濾過器収容空間内に濾過器がその少なくとも下部が水槽本体内の水中に浸漬される状態に取り出し可能に収容配置され、
前記水槽本体内の水中に配置される本体部と前記本体部から延びたコード部とを有する水中装置を取付け可能な観賞魚用水槽であって、
前記濾過器収容空間を形成する空間形成壁と前記濾過器との間に、両者間の隙間からなり且つ前記水中装置のコード部が通される第１通路が形成されるとともに、
前記第１通路の一端開口が前記水槽本体内の水面よりも下側の位置に水槽本体の内方に臨んで配置される一方、前記第１通路の他端開口が水槽本体内の水面よりも上側の位置に配置されていることを特徴とする観賞魚用水槽。
【請求項２】
前記濾過器収容空間は、前記水槽本体内の後部側に設けられており、
前記第１通路の一端開口が前記濾過器の前面の下部に設けられた切欠き部から形成されるとともに、前記水槽本体の正面視において前記第１通路がその一端開口を除いて前記濾過器の前面で隠蔽されている請求項１記載の観賞魚用水槽。
【請求項３】
前記空間形成壁の少なくとも一部は、前記水槽本体内の後板から構成されており、
前記水槽本体の後部側には、前記後板の後側に配置され且つ後板の後外面を覆う後カバー体が取り付けられるとともに、
前記後板と前記後カバー体との間に、両者間の隙間からなり且つ前記第１通路の他端開口から出されたコード部が通される第２通路が形成されている請求項２記載の観賞魚用水槽。
【請求項４】
前記水中装置は、電気ヒータ、空気噴出器及び水循環ポンプからなる群から選択される少なくとも１つである請求項１〜３のいずれかに記載の観賞魚用水槽。
【発明の詳細な説明】
【技術分野】
【０００１】
本発明は、熱帯魚や金魚等の観賞魚を飼育する観賞魚用水槽に関する。
【背景技術】
【０００２】
一般家庭等で用いられる観賞魚用水槽として、水槽本体内の水を濾過するための濾過器がその少なくとも一部が水槽本体内の水中に浸漬された状態にして配置されたものが知られている。この種の観賞魚用水槽では、濾過器の交換や掃除を行えるようにするため濾過器は水槽本体に対して取り出し可能に配置されている。
【０００３】
また、水槽本体内には、水槽本体内の水中に配置されて使用される水中装置として、水槽本体内の水を加熱する電気ヒータの発熱部が水槽本体内の水中に浸漬された状態に配置されるが、その際、電気ヒータは次のように水槽本体に取り付けられることが多い。すなわち、特開２００２−１３６２４３号公報（特許文献１）に開示されているように、電気ヒータの発熱部を水槽本体内の水中の底部近傍に配置するとともに、発熱部から延びた電源コード部を水槽本体の内面に上方向に沿わせて配置し、そしてこの電源コード部に取り付けられた吸盤（キスゴム）を水槽本体の内面に吸着させることで電源コード部の位置を固定していた。
【先行技術文献】
【特許文献】
【０００４】
【特許文献１】特開２００２−１３６２４３号公報（図１参照）
【発明の概要】
【発明が解決しようとする課題】
【０００５】
しかしながら、この取付け方法では、電源コード部が水槽本体内に露出しているので、水槽の美観が損なわれるし、更に、長期の使用によって水槽本体の内面や吸盤に付着した苔や汚れによって吸盤が内面から外れ易くなるという難点があった。もし吸盤が外れると、発熱部の位置が所定位置からずれてしまうという問題が発生する。
【０００６】
本発明は、上述した技術背景に鑑みてなされたもので、その目的は、水槽本体内の水中に配置される水中装置（例：電気ヒータ、空気噴出器、水中ポンプ）の本体部の位置ずれを防止することができ且つ美観が良好な観賞魚用水槽を提供することにある。
【課題を解決するための手段】
【０００７】
本発明は以下の手段を提供する。
【０００８】
［１］  水槽本体内に濾過器収容空間が設けられるとともに、前記濾過器収容空間内に濾過器がその少なくとも下部が水槽本体内の水中に浸漬される状態に取り出し可能に収容配置され、
前記水槽本体内の水中に配置される本体部と前記本体部から延びたコード部とを有する水中装置を取付け可能な観賞魚用水槽であって、
前記濾過器収容空間を形成する空間形成壁と前記濾過器との間に、両者間の隙間からなり且つ前記水中装置のコード部が通される第１通路が形成されるとともに、
前記第１通路の一端開口が前記水槽本体内の水面よりも下側の位置に水槽本体の内方に臨んで配置される一方、前記第１通路の他端開口が水槽本体内の水面よりも上側の位置に配置されていることを特徴とする観賞魚用水槽。
【０００９】
［２］  前記濾過器収容空間は、前記水槽本体内の後部側に設けられており、
前記第１通路の一端開口が前記濾過器の前面の下部に設けられた切欠き部から形成されるとともに、前記水槽本体の正面視において前記第１通路がその一端開口を除いて前記濾過器の前面で隠蔽されている前項１記載の観賞魚用水槽。
【００１０】
［３］  前記空間形成壁の少なくとも一部は、前記水槽本体内の後板から構成されており、
前記水槽本体の後部側には、前記後板の後側に配置され且つ後板の後外面を覆う後カバー体が取り付けられるとともに、
前記後板と前記後カバー体との間に、両者間の隙間からなり且つ前記第１通路の他端開口から出されたコード部が通される第２通路が形成されている前項２記載の観賞魚用水槽。
【００１１】
［４］  前記水中装置は、電気ヒータ、空気噴出器及び水循環ポンプからなる群から選択される少なくとも１つである前項１〜３のいずれかに記載の観賞魚用水槽。
【発明の効果】
【００１２】
本発明は以下の効果を奏する。
【００１３】
上記［１］記載の観賞魚用水槽では、水槽本体内に濾過器収容空間が設けられるとともに、濾過器収容空間内に濾過器がその少なくとも下部が水槽本体内の水中に浸漬される状態に収容配置されるので、水槽本体内の水を濾過器によって濾過することができるし、更に、この濾過器は、濾過器収容空間内に取り出し可能に収容配置されるので、濾過器の交換や掃除を行う際には濾過器を濾過器収容空間内から取り出すことができる。
【００１４】
さらに、濾過器収容空間を形成する空間形成壁と濾過器との間に、両者間の隙間からなり且つ水中装置のコード部が通される第１通路が形成されるとともに、第１通路の一端開口が水槽本体内の水面よりも下側の位置に水槽本体の内方に臨んで形成される一方、第１通路の他端開口が水槽本体内の水面よりも上側の位置に形成されているので、次の効果を奏する。
【００１５】
すなわち、水中装置の本体部を水槽本体内の水中に配置し、この本体部から延びたコード部を第１通路の一端開口から導入して第１通路に通すとともにその他端開口からコード部を出することにより、コード部の位置を固定することができ、これにより、水槽本体内における水中装置の本体部の位置ずれを防止することができる。
【００１６】
しかも、コード部が通される第１通路は空間形成壁と濾過器との間の隙間からなるので、コード部の第１通路への通し作業を行う場合には、まず濾過器収容空間内から濾過器を取り出し、次いで濾過器収容空間内における第１通路に対応する部分にコード部を沿わせて配置し、そして濾過器を濾過器収容空間内に収容すれば、コード部が第１通路に通されることになる。そのため、コード部の第１通路への通し作業を容易に行うことができる。
【００１７】
その上、第１通路は空間形成壁と濾過器との間の隙間からなるものであり、更に、第１通路の一端開口が水槽本体内の水面よりも下側の位置に配置されているので、この第１通路にコード部を通すことにより、コード部が外部から見えにくくなり、これにより、水槽の美観を従来のものよりも向上させることができる。
【００１８】
上記［２］記載の観賞魚用水槽では、濾過器収容空間が水槽本体内の後部側に設けられているので、水槽本体の内部を水槽本体の前側からだけではなく更に左右両側からも鑑賞することができる。
【００１９】
さらに、第１通路の一端開口が濾過器の前面の下部に設けられた切欠き部から形成されるとともに、水槽本体の正面視において第１通路がその一端開口を除いて濾過器の前面で隠蔽されているので、この第１通路にコード部を通すことにより、コード部が更に見えにくくなる。これにより、水槽の美観を更に向上させることができる。
【００２０】
上記［３］記載の観賞魚用水槽では、水槽本体の後板と後カバー体との間に、両者間の隙間からなり且つ第１通路の他端開口から出されたコード部が通される第２通路が形成されているので、この第２通路に第１通路の他端開口から出されたコード部を通すことにより、水槽をその後側から見てもコード部が後カバー体で隠蔽され、これにより水槽の美観をより一層向上させることができる。
【００２１】
上記［４］記載の観賞魚用水槽では、水中装置として、電気ヒータや空気噴出器や水循環ポンプについてその本体部の位置ずれを防止することができる。
【図面の簡単な説明】
【００２２】
【図１】図１は、本発明の一実施形態に係る観賞魚用水槽の一部切欠き斜視図である。
【図２】図２は、同水槽の後面図である。
【図３】図３は、同水槽の分解斜視図である。
【図４】図４は、同水槽の濾過器における第１通路側の端部を後側から見た斜視図である。
【図５】図５は、同水槽の水槽本体の濾過器収容空間内に濾過器を収容配置した状態の一部切欠き斜視図である。
【図６】図６は、同水槽の水槽本体内に更に水受け板を配置した状態の斜視図である。
【図７】図７は、同水槽の正面断面図である。
【図８】図８は、図７中のＸ−Ｘ線断面図である。
【発明を実施するための形態】
【００２３】
次に、本発明の一実施形態について図面を参照して以下に説明する。
【００２４】
図１〜８は、本発明の一実施形態に係る観賞魚用水槽を説明するための図である。
【００２５】
本実施形態の観賞魚用水槽１は、図３に示すように、水槽本体２、水槽本体２用の蓋体３０、水受け板１０、濾過器２０などを具備している。ここで、図７及び８は、それぞれ観賞魚用水槽１の正面断面図及び図７中のＸ−Ｘ線断面図であるが、これらの図には、説明の便宜上、水受け板１０は図示省略されている。
【００２６】
図３において、６０は、水槽本体２に取り付けられる水中装置である。本実施形態では、水中装置６０は、水槽本体２内の水４０を加熱する電気ヒータ６１である。この電気ヒータ６１は、棒状発熱部６１ａ（水中装置６０の「本体部」に相当）と、該発熱部６１ａの端部から延びるとともに発熱部６１ａに動作用電力を導入する電源コード部６１ｂ（水中装置６０の「コード部」に相当）とを有している。この電気ヒータ６１の水槽本体２への取り付け構造及び方法については後述する。
【００２７】
図１及び３に示すように、水槽本体２は、前板３、左板４、右板４、後板５及び底板７を有する上方が開口した四角箱状のものである。これら前板３、左右各板４、４、後板５及び底板７は、水槽本体２内の水４０が水槽本体２の外側へ漏出しないように水４０を遮蔽するものである。前板３と左右各板４、４はそれぞれ透明のプラスチック又はガラス製である。後板５は透明又は不透明のプラスチック製である。また、底板７上には底砂７ａが敷設されている（図７参照）。
【００２８】
さらに、この水槽本体２では、図３に示すように、後板５の上板部５ａはその下板部５ｂよりも後側に配置されるとともに、上板部５ａと下板部５ｂとが水平状の段板部５ｃを介して互いに一体に連結されており、そのため後板５の上板部５ａと下板部５ｂとの間に段差が生じている。これにより、水槽本体２内における後板５の上部（即ち水槽本体２内の後部側）に、段板部５ｃよりも上側の段差空間からなる濾過器収容空間６が水槽本体２の内向きに開いて形成されている。さらに、この濾過器収容空間６を形成する空間形成壁６Ａにおける後壁及び下壁は、それぞれ後板５の上板部５ａ及び段板部５ｃから構成されるとともに、空間形成壁６Ａにおける左右各壁は左右各板４、４の後端部から構成されている。さらに、この濾過器収容空間６の少なくとも下部は、水槽本体２内における水面４１よりも下側に配置されており、本実施形態では濾過器収容空間６の下部だけが水槽本体２内の水面４１よりも下側に配置される一方、濾過器収容空間６の上部は水面４１よりも上側に配置されている。
【００２９】
濾過器２０は、水槽本体２内の水４０を濾過するものであり、該濾過器２０の少なくとも下部が水槽本体２内の水４０中に浸漬される状態に配置されて使用される板状のものである。濾過器２０のプラスチック製ケーシング２１の内部には濾過材及び水循環水中ポンプ（いずれも図示せず）が収納配置されている。なお本発明では、水循環ポンプはケーシング２１の内部に必ずしも収容されていることを要せず、例えばケーシング２１に付設されていても良い。そして、図３及び５に示すように、この濾過器２０が上記濾過器収容空間６内に上方から取り外し可能に縦置きに収容配置されている。この収容状態において、濾過器２０は水槽本体２の後板５の段板部５ｃ上に載置されることで、濾過器２０の下部だけが水槽本体２内の水中に浸漬された状態に配置されるとともに、濾過器２０の上部は水槽本体２内の水面４１よりも上側に配置されている（図７及び８参照）。さらに、濾過器２０のケーシング２１の前面２０ａ（即ち水槽本体２の内方に向いた面）は、後板５の下板部５ｂの内面に対して上下方向に略面一（つらいち）に連なっている。
【００３０】
さらに、この濾過器２０のケーシング２１の前面２０ａの下部には、図３及び５に示すように、該ケーシング２１内の水循環ポンプの吸引力によって水槽本体２内の水４０をケーシング２１内に吸い込む際に水４０が通過する複数のスリット状吸い込み口２４が設けられている。この吸い込み口２４から吸い込まれた水は、水循環ポンプの動力によってケーシング２１内の濾過材を通過することで濾過されて濾過水４０ａとなるとともに、この濾過水４０ａがケーシング２１の前面２０ａの上端部に形成された幅広の吐出口２５から水槽本体２内において前向きに吐出される。吐出口２５の幅寸法は、水槽本体２の左右両板４、４間の幅寸法と略同寸に設定されている。
【００３１】
また、図２及び８に示すように、水槽本体２の後板５（詳述すると後板５の上板部５ａ及び下板部５ｂ）に対して後側に離間した位置には、後板５の後外面を覆う後カバー体８が配置されるとともに、この後カバー体８の左右各端部が水槽本体２の左右各板４、４の後端部に分離可能に固定され、更に、この後カバー体８の左右各端部の上縁部が水槽本体２の左右各板４、４の後端部の上縁部に分離可能に固定されている。これにより、後カバー体８が水槽本体２の後部側に取り外し可能に取り付けられるとともに、後板５と後カバー体８との間に両者５、８間の隙間からなる後述する第２通路５５が上下方向に延びて形成されている。
【００３２】
ここで、濾過器２０は、図３に示すように濾過器収容空間６内に上方から収容される際に、濾過器２０の左右両端部が後カバー体８の左右各端部の上縁部に設けられた前後一対の保持片８ａ、８ａ間にスライド挿入されることによって、濾過器２０が濾過器収容空間６内から脱落しないように保持されている。
【００３３】
さらに、こうして濾過器２０が濾過器収容空間６内に収容配置された状態において、濾過器収容空間６を形成する空間形成壁６Ａと濾過器２０との間には、両者６Ａ、２０間の隙間からなる第１通路５１が上下方向に延びて形成されるとともに、この第１通路５１に電気ヒータ６１の電源コード部６１ｂが通されている。電気ヒータ６１の発熱部６１ａは、水槽本体２内の水４０中に浸漬状態に配置されており、具体的には水槽本体２内の底砂７ａ上に配置されている。この点について詳述すると次のとおりである。
【００３４】
本実施形態では、第１通路５１は、空間形成壁６Ａと濾過器２０との間の隙間における左右両端部の一端部に形成されており、具体的には左端部に形成されている。詳述すると、図４に示すように、濾過器２０のケーシング２１の後面２０ｂの左右両端部のうち第１通路５１に対応する端部、即ち左端部には、第１通路形成用溝部５２が上下方向に延びて設けられている。
【００３５】
さらに、この溝部５２の下端は前方へ延びて、濾過器２０の前面２０ａの左下端角部に設けられた切欠き部５２ａと連通している。したがって、この濾過器２０を濾過器収容空間６内に収容配置すると、図８に示すように、濾過器収容空間６を形成する空間形成壁６Ａと濾過器２０との間には、両者６Ａ、２０間の隙間としての第１通路形成用溝部５２からなる第１通路５１が上下方向に延びて形成されるとともに、この第１通路５１の一端開口５１ａが水槽本体２内の水面４１よりも下側の位置に水槽本体２の内方に臨んで配置されている。また、第１通路５１が濾過器２０の後面２０ｂの左端部に設けられた第１通路形成用溝部５２からなることから、図７に示すように、水槽本体２の正面視において第１通路５１はその一端開口５１ａを除いて濾過器２０の前面２０ａで隠蔽されている。
【００３６】
一方、図４に示すように、第１通路形成用溝部５２の上端は、濾過器２０の上端部において上向きに開口している。したがって、この濾過器２０を濾過器収容空間６内に収容配置すると、図８に示すように、第１通路５１の他端開口５１ｂは水槽本体２内の水面４１よりも上側の位置に上向きに開いて配置されている。
【００３７】
また、図８に示すように、水槽本体２の後板５と後カバー体８との間には、上述したように両者５、８間の隙間からなる第２通路５５が上下方向に延びて形成されている。さらに、この第２通路５５の上端開口５５ａが、水槽本体２の後板５の上端と後カバー体８の上端との間に上向きに開いて形成されるとともに、第２通路５５の下端開口５５ｂが後カバー体８の下端部に水槽１の後向きに開いて形成されている。
【００３８】
電気ヒータ６１の発熱部６１ａは、水槽本体２内の水４０中における底砂７ａ上に配置されており、その電源コード部６１ｂは、第１通路５１の一端開口５１ａから導入されて第１通路５１に通されるとともにその他端開口５１ｂから出され、更にこの電源コード部６１ｂが第２通路５５の上端開口５５ａから導入されて第２通路５５に通されるとともにその下端開口５５ｂから水槽１の後方へ出されている。
【００３９】
なお、本実施形態では、水槽１における第１通路５１及び第２通路５５は、水槽本体２の正面視において水槽本体２（濾過器２０）の左端部側だけでははなく更に右端部側にも同様に形成されている。
【００４０】
水受け板１０は、光透性を有する無色透明プラスチック製のものであり、図３及び６に示すように、水槽本体２内の水面４１に対して上側に離間するとともに水槽本体２の上開口周縁２ａよりも若干低い高さ位置に、該水面４１の略全面（詳述すると、平面視において水面４１の全面積に対して８０％以上（好ましくは９０％以上）を覆う状態に略水平に配置されている。
【００４１】
この水受け板１０は、その上面１１上に供給された水４０を略水平方向に受け流して水槽本体２内へすだれ状乃至膜状に落下させるものである。本実施形態では、図１及び６に示すように、水受け板１０は、その上面１１上に供給される水４０として、濾過器２０の吐出口２５から吐出された濾過水４０ａを、水受け板１０の上面１１上における水槽本体２の後部側から前部側へ受け流して水受け板１０の前端縁１９から水槽本体２内の水面４１の前部上へ膜状に落下させるものである。なお、水受け板１０の前端縁１９と水槽本体２の前板３との間には隙間が水平方向に生じている。
【００４２】
また、図３及び６に示すように、水受け板１０の左右両端縁には左右一対の立ち上がり状の側板部１５ａ、１５ａが該水受け板１０の前後方向に連続して一体形成されている。また、水受け板１０の後端縁には後板部１５ｂが左右方向に連続して立ち上がり状に一体形成されている。さらに、左右各側板部１５ａの上端部の前部及び後部には、それぞれ外側方突出状の係止片１６、１６が一体形成されている。そして、図６に示すように、これらの係止片１６が水槽本体２の左右各板４、４の上縁部及び後カバー体８の左右各端部の上縁部に上方から係脱可能に係止されており、これにより、水受け板１０が水槽本体２内の所定高さ位置に取外し可能に配置されている。
【００４３】
さらに、図３及び６に示すように、水受け板１０の上面１１には溝部１３が水受け板１０の後端部から前端縁１９まで連続して形成されている。そして、この水受け板１０の上面１１上の溝部１３内に濾過器２０の吐出口２５から吐出された濾過水４０ａが供給されて、この濾過水４０ａが溝部１３内を流れて水受け板１０の前端縁１９から水槽本体２内の水面４１の前部上へ膜状に落下する。
【００４４】
蓋体３０は、プラスチック製のものであり、水受け板１０に対して上側に離間した高さ位置であって更には水槽本体２の上開口周縁２ａよりも上側の高さ位置に（図８参照）、水槽本体２の後部側から前部側へ水槽本体２の上開口部を概ね覆うように軒（のき）状に延びて配置されている。この状態において、蓋体３０と水槽本体２との間には上下方向に第１隙間７１が生じている。さらに、水槽１の平面視において、蓋体３０の外周縁の前縁部３０ａが水槽本体２の上開口周縁２ａにおける前縁部２ｂよりも内側に配置されており、これにより、蓋体３０の外周縁の前縁部３０ａと水槽本体２の上開口周縁２ａの前縁部２ｂとの間に、第２隙間７２が水平方向に生じている。
【００４５】
さらに、この蓋体３０は、水槽本体２の後部（詳述すると後カバー体８）の上端部に分離可能に取り付けられている。
【００４６】
また、図８に示すように、この蓋体３０の内部（即ち、水受け板１０に対して上側に離間した位置）には、水槽本体２の内側に向けて照明をする照明具３１が配置されている。この照明具３１は、詳述すると照明光源として複数のＬＥＤを有するもの、即ちＬＥＤ照明具であり、図１に示すように蓋体３０の上面に設けられた円盤状の調光操作ダイヤル３３を手で回転させることでその光量（明るさ）を調整しうるように構成されている。なお、３４は、ダイヤル３３を操作することで調光された照明具３１の調光状態を表示する表示部である。また図８において３２は、照明具３１についての防滴用透光板である。
【００４７】
本実施形態の観賞魚用水槽１では、図５及び６に示すように、水槽本体２内の水４０は、水槽本体２内の後部側から濾過器２０（ケーシング２１）内の水循環ポンプの吸引力によって吸い込み口２４を介して濾過器２０内部に吸い込まれる。吸い込まれた水４０は、濾過器２０内の濾過材を通過することで濾過されて清浄な水、即ち濾過水４０ａとなる。そして、この濾過水４０ａは水循環ポンプの動力によって濾過器２０の吐出口２５から吐出されて、水受け板１０の上面１１上における水槽本体２の後部側に供給される。供給された濾過水４０ａは、水受け板１０の上面１１における溝部１３内の底面で受けられてから該溝部１３内を前部側へ流れる。そして、溝部１３内を流れる濾過水４０ａが水受け板１０の前端縁１９から膜状に水槽本体２内の水面４１の前部上へ落下する。落下した濾過水４０ａは、水槽本体２内の水４０と混ざりながら濾過器２０内の水循環ポンプの吸引力によって水槽本体２内の後部側へ吸い寄せられて再度、濾過器２０内に吸い込まれる。このように水槽本体２内の水４０は循環する。
【００４８】
而して、本実施形態の観賞魚用水槽１は次のような利点がある。
【００４９】
図３に示すように、水槽本体２内に濾過器収容空間６が設けられるとともに、図５に示すようにこの濾過器収容空間６内に濾過器２０がその下部が水槽本体２内の水４０中に浸漬される状態に収容配置されるので、水槽本体２内の水４０を濾過器２０によって濾過することができる。しかも、この濾過器２０は、濾過器収容空間６内に取り出し可能に収容配置されるので、濾過器２０の交換や掃除を行う際には濾過器２０を濾過器収容空間６内から取り出すことができる。
【００５０】
さらに、図７及び８に示すように、濾過器収容空間６を形成する空間形成壁６Ａと濾過器２０との間に、両者６Ａ、２０間の隙間（第１通路形成用溝部５２）からなり且つ電気ヒータ６１の電源コード部６１ｂが通される第１通路５１が形成されるとともに、第１通路５１の一端開口５１ａが水槽本体２内の水面４１よりも下側の位置に水槽本体２の内方に臨んで形成される一方、第１通路５１の他端開口５１ｂが水槽本体２内の水面４１よりも上側の位置に形成されているので、次の効果を奏する。
【００５１】
すなわち、電気ヒータ６１の発熱部６１ａを水槽本体２内の水４０中における底砂７ａ上に配置し、この発熱部６１ａから延びた電源コード部６１ｂを第１通路５１の一端開口５１ａから導入して第１通路５１に通すとともにその他端開口５１ｂから電源コード部６１ｂを出することにより、電源コード部６１ｂの位置を固定することができ、これにより、水槽本体２内における電気ヒータ６１の発熱部６１ａの位置ずれを防止することができる。
【００５２】
しかも、第１通路５１が空間形成壁６Ａと濾過器２０との間の隙間（第１通路形成用溝部５２）からなるので、電源コード部６１ｂの第１通路５１への通し作業を行う場合には、図３に示すように、まず濾過器収容空間６内から濾過器２０を取り出し、次いで濾過器収容空間６内における第１通路５１に対応する部分に電源コード部６１ｂを沿わせて配置し、そして濾過器２０を濾過器収容空間６内に収容すれば、電源コード部６１ｂが第１通路５１に通されることになる。そのため、電源コード部６１ｂの第１通路５１への通し作業を容易に行うことができる。
【００５３】
その上、第１通路５１は空間形成壁６Ａと濾過器２０との間の隙間（第１通路形成用溝部５２）からなるものであり、更に、第１通路５１の一端開口５１ａが水槽本体２内の水面４１よりも下側の位置に配置されているので、この第１通路５１に電源コード部６１ｂを通すことにより、電源コード部６１ｂが外部から見えにくくなり、これにより、水槽１の美観を従来のものよりも向上させることができる。
【００５４】
さらに、濾過器収容空間６が水槽本体２内の後部側に設けられているので、水槽本体２の内部を水槽本体２の前側からだけではなく更に左右両側からも鑑賞することができる。
【００５５】
さらに、第１通路５１の一端開口５１ａが濾過器２０の前面２０ａの左下端角部に設けられた切欠き部５２ａから形成されるとともに、水槽本体２の正面視において第１通路５１がその一端開口５１ａを除いて濾過器２０の前面２０ａで隠蔽されているので、図７に示すように、この第１通路５１に電源コード部６１ｂを通すことにより、電源コード部６１ｂが更に見えにくくなる。これにより、水槽１の美観を更に向上させることができる。
【００５６】
さらに、図８に示すように、水槽本体２の後板５と後カバー体８との間に、両者５、８間の隙間からなり且つ第１通路５１の他端開口５１ｂから出された電源コード部６１ｂが通される第２通路５５が形成されているので、この第２通路５５に第１通路５１の他端開口５１ｂから出された電源コード部６１ｂを通すことにより、水槽１をその後側から見ても電源コード部６１ｂが後カバー体８で隠蔽され、これにより水槽１の美観をより一層向上させることができる。
【００５７】
また、本実施形態の水槽１では、水受け板１０は、該水受け板１０上（即ち水受け板１０の上面１１上）に供給された水４０（濾過水４０ａ）を略水平方向に受け流して水槽本体２内へ落下させるものであるから、水４０の空気との接触面積及び接触時間を増加させることができ、もって水４０に酸素を確実に取り込ませることができる。
【００５８】
さらに、この水受け板１０は、水槽本体２内の水面４１に対して上側に離間した位置に水槽本体２内の水面４１の略全面を覆う状態に配置されているから、この観賞魚用水槽１は従来の水槽にはない新規な構造を有しており、趣向性が高められている。
【００５９】
また、水受け板１０は、該水受け板１０上に供給された水４０（濾過水４０ａ）を水槽本体２内へ膜状に落下させるものであるから、水４０の空気との接触面積及び接触時間を更に増加させることができ、もって水４０に酸素を更に確実に取り込ませることができるし、趣向性を更に高めることができる。
【００６０】
また、水受け板１０に対して上側に離間した位置に、水槽本体２用の蓋体３０が配置されているので、空気中を漂う埃などが水受け板１０上に落下してここを流れる水４０（濾過水４０ａ）と一緒に水槽本体２内へ流入するのをこの蓋体３０によって防止することができる。
【００６１】
しかも、この蓋体３０は、水受け板１０に対して上側に離間した位置に配置されているので、水槽本体２の外側から水受け板１０と蓋体３０との間の隙間を介して水受け板１０上を流れる水４０や水受け板１０から落下する膜状の水４０を見ることができる。これにより、高い趣向性を維持することができる。
【００６２】
その上、蓋体３０は、水槽本体２の上開口周縁２ａよりも高い位置に配置されているので、観賞魚に餌を与える際に、わざわざ蓋体３０を水槽本体２から取り外さなくても水槽本体２の上開口周縁２ａと蓋体３０との間の隙間７１から餌を水受け板１０上に投入すれば餌が水受け板１０上を流れる水４０（濾過水４０ａ）と一緒に水槽本体２内に落下するので、観賞魚への給餌を容易に行うことができる。
【００６３】
また、水受け板１０は光透性を有するものであり、この水受け板１０に対して上側に離間した位置（本実施形態では蓋体３０の内部）に照明具３１が配置されているので、水受け板１０の上側から照明具３１により水槽本体２の内側に向けて照明をすると、その照明光が水受け板１０上を流れる水４０及び水受け板１０を順次透過する。そのため、水槽本体２内の水４０を照明することができるし、更には、水受け板１０上を流れる水４０によって照明光が揺らぐので、照明効果を向上させることができる。
【００６４】
また、水槽本体２内の後部側として、水槽本体２内における後板５の上部に形成された濾過器収容空間６内には、水槽本体２内の水４０を水槽本体２の後部側から吸い込んで濾過する濾過器２０が配置されており、水受け板１０は、該水受け板１０上に供給される水４０として、濾過器２０により濾過された濾過水４０ａを水受け板１０上における水槽本体２の後部側から前部側に受け流して水受け板１０の前端縁１９から水槽本体２内の水面４１の前部上へ落下させるものであるから、上述したように、水槽本体２内の水４０は循環するようになる。ここで、水受け板１０の前端縁１９から落下する濾過水４０ａの落下位置は水槽本体２内の前部であり、一方、濾過器２０により吸い込まれる水槽本体２内の水４０の吸い込み位置（即ち濾過器２０の吸い込み口２４の位置）は水槽本体２内の後端部であるから、落下位置と吸い込み位置との距離は長い。したがって、水槽本体２内に落下した濾過水４０ａがその落下位置から吸い込み位置に到達するまでの間に、水槽本体２内の水４０の略全部が濾過器２０により吸い込まれて濾過されることになるため、水槽本体２内の水４０に対して効率良く濾過することができるし、更に、水槽本体２内の水４０に対して酸素をより一層確実に取り込ませることができる。
【００６５】
以上で本発明の実施形態を説明したが、本発明は上記実施形態に限定されるものではなく、本発明の要旨を逸脱しない範囲内で様々に変更可能である。
【００６６】
例えば、本実施形態では、水中装置６０は電気ヒータ６１であるが、本発明では、水中装置６０は電気ヒータ６１に限定されるものではなく、その他に例えば、水槽本体２内の水４０に酸素を取り込ませるために水４０中に空気を気泡状に噴出する空気噴出器であっても良いし、水槽本体２内の水４０を循環させるための水循環ポンプであっても良いし、あるいは電気ヒータ６１、空気噴出器及び水循環ポンプのうち２つ以上を用いても良い。水中装置６０が空気噴出器である場合には、エアストーン等の空気噴出部が水中装置６０の本体部に相当し、空気噴出部に空気を送る空気送りチューブが水中装置のコード部に相当する。また、水中装置６０が水循環ポンプである場合には、ポンプ本体が水中装置６０の本体部に相当し、ポンプ本体に動作用電気を導入する電源コード部が水中装置６０のコード部に相当することとになる。
【産業上の利用可能性】
【００６７】
本発明は鑑賞魚水槽に利用可能である。
【符号の説明】
【００６８】
１：観賞魚用水槽
２：水槽本体
５：水槽本体の後板
６：濾過器収容空間
６Ａ：空間形成壁
８：後カバー体
１０：水受け板
２０：濾過器
２０ａ：濾過器の前面
３０：蓋体
４０：水槽本体内の水
４０ａ：濾過水
４１：水面
５１：第１通路
５１ａ：第１通路の一端開口
５１ｂ：第１通路の他端開口
５２ａ：切欠き部
５５：第２通路
６０：水中装置
６１：電気ヒータ
６１ａ：発熱部（本体部）
６１ｂ：電源コード（コード部）
【図１】
2012187079.tif 000003
【図２】
2012187079.tif 000004
【図３】
2012187079.tif 000005
【図４】
2012187079.tif 000006
【図５】
2012187079.tif 000007
【図６】
2012187079.tif 000008
【図７】
2012187079.tif 000009
【図８】
2012187079.tif 000010